(57)【要約】【課題】従来の着物の着付けにおいては、着物の着用者が長い時間立ちっぱなしで行われており、苦しいものであった。また着付けの作業者側においても着用者の身長が低い場合、腰をかがめて行わなければならず腰痛等の原因になっていた。【解決手段】着物の着用者が、支持部材に寄りかかった状態で着付けがおこなわれるようにした。また、着用者の身長に対応してその高さが調整できるようにした。【選択図】図３１
2008006245.tif 000002
【特許請求の範囲】
【請求項１】
床面に立設した支柱の頭部に、高さ調整手段を介在して支持部材を連結し、着物の着用者の身長に対応して高さ調整手段を操作して、着用者の背部で帯の装着予定位置の下方の支持適正箇所に支持部材を臨ませ、着用者を支持部材に寄りかからせた状態で着付け作業を行うようにしたことを特徴とする着物の着付け装置。
【請求項２】
下側に設けた脚部によって、所定の高さで床面に載置した台板と、台板に立設した支柱と、高さ調整手段を介在して支柱の頭部に連結した支持部材とで構成し、着物の着用者が台板に載った状態で着用者の身長に対応して高さ調整手段を操作し、着用者の背部で帯の装着予定位置の下方の支持適正箇所に支持部材を臨ませ、着用者を支持部材に寄りかからせた状態で着付け作業を行うようにしたことを特徴とする着物の着付け装置。
【請求項３】
支柱は、台板上で折りたたみ自在となるように折りたたみ手段を介在して台板上に連結し、折りたたんで運べるようにしたことを特徴とする請求項３記載の着物の着付け装置。
【請求項４】
第１の高さ調整手段を備えたフレームと、フレームの上方に設けられ、第１の高さ調整手段に連結した台板と、台板の側方に立設され第２の高さ調整手段を備えた支柱と、第２の高さ調整手段を介在して支柱の頭部に連結した支持部材とで構成され、着物の着用者の身長に対応して着付け作業がし易いように、第１の高さ調整手段を操作して台板の高さを調整し、台板に載った着用者の身長に対応して第２の高さ調整手段を操作し、着用者の背部で帯の装着予定位置の下方の支持適正箇所に支持部材を臨ませ、着用者を支持部材に寄りかからせた状態で着付け作業を行うようにしたことを特徴とする着物の着付け装置。
【請求項５】
高さ調整手段を備えたフレームと、フレームの上方に設けられ、高さ調整手段に連結した台板と、台板の側方でフレームに立設された支柱と、支柱の頭部に連結した支持部材とで構成され、着物の着用者が台板に載った状態で、着用者の身長に対応して高さ調整手段を操作し台板の高さを調整して、着用者の背部で帯の装着予定位置の下方の支持適正箇所に支持部材を臨ませ、着用者を支持部材に寄りかからせた状態で着付け作業を行うようにしたことを特徴とする着物の着付け装置。
【請求項６】
着物の着用者がその背部を支持部材に支えられた状態で着付けが行われる着付け装置であり、支持部材は着用者の帯の装着予定位置の下方の支持適正箇所を支持するように、着用者の身長に対応してその高さを調整する高さ調整手段を備えた着付け装置を用い、
着用者の着物の着丈を決めて裾位置が変わらないようにして、
着用者の背部を、支持部材に対向させるステップ、
着用者の身長に対応して高さ調整手段を操作し、支持部材を着用者の帯の装着予定位置の下方で支持適正高さに調整するステップ、
着用者を支持部材に寄りかからせるステップ、
着用者が支持部材に支えられたままの状態で、着付けを完成するステップ、
着用者を支持部材への寄りかかり状態から解除させるステップ、
を含むことを特徴とする着物の着付け方法。
【請求項７】
着物の着用者が台板に載って、その背部を支持部材に支えられた状態で着付けが行われる着付け装置であり、台板は着用者の身長に対応してその高さを調整する第１の高さ調整手段を備え、支持部材は着用者の帯の装着予定位置の下方の支持適正箇所を支持するように、着用者の身長に対応してその高さを調整する第２の高さ調整手段を備えた着付け装置を用い、
着用者の身長に対応して、第１の高さ調整手段を操作して台板の高さを着付のし易い高さに調整するステップ、
着用者を台板に載せるステップ、
着物の着丈を決めて裾位置が変わらないようにして、この背部を支持部材に対向させるステップ、
着用者の身長に対応して第２の高さ調整手段を操作し、支持部材を着用者の帯の装着予定位置の下方で支持適正高さに調整するステップ、
着用者を支持部材に寄りかからせるステップ、
着用者が支持部材に支えられたままの状態で、着付けを完成するステップ、
着用者を支持部材への寄りかかり状態から解除させ、第１の高さ調整手段を操作して台板を下死点位置に下げるステツプ、
着用者を台板から降ろさせるステップ、
を含むことを特徴とする着物の着付け方法。
【請求項８】
着物の着用者が台板に載って、その背部を支持部材に支えられた状態で着付けが行われる着付け装置であり、台板は着用者の身長に対応してその高さを調整する第１の高さ調整手段を備え、支持部材は着用者の帯の装着予定位置の下方の支持適正箇所を支持するように、着用者の身長に対応してその高さを調整する第２の高さ調整手段を備えた着付け装置を用い、
第１の高さ調整手段を操作して台板を下死点に位置させるステップ、
着用者を下死点に位置した台板に載せるステップ、
着用者の身長に対応して、第１の高さ調整手段を操作し台板の高さを調整して着用者を着付けのし易い高さにするステップ、
着用者の着物の着丈を決めて裾位置が変わらないようにして、この背部を支持部材に対向させるステップ、
着用者の身長に対応して第２の高さ調整手段を操作し、支持部材を着用者の帯の装着予定位置の下方で支持適正高さに調整するステップ、
着用者を支持部材に寄りかからせるステップ、
着用者が支持部材に支えられたままの状態で、着付けを完成するステップ、
着用者を支持部材への寄りかかり状態から解除させ、第１の高さ調整手段を操作して台板を下死点位置に下げるステツプ、
着用者を台板から降ろさせるステップ、
を含むことを特徴とする着物の着付け方法。
【請求項９】
着物の着用者が台板に載って、その背部を支持部材に支えられた状態で着付けが行われる着付け装置であり、台板は着用者の身長に対応してその高さを調整する高さ調整手段を備え、この調整手段を操作して着用者の帯の装着予定位置の下方の支持適正箇所を支持部材で支持するようにした着付け装置を用い、
高さ調整手段を操作して台板を下死点に位置させるステップ、
着用者を下死点に位置した台板に載せるステップ、
着用者の着物の着丈を決めて裾位置が変わらないようにして、この背部を支持部材に対向させるステップ、
着用者の身長に対応して高さ調整手段を操作し、台板の高さを調整して着用者の帯の装着予定位置の下方の支持適正箇所が支持部材に臨むようにするステップ、
着用者を支持部材に寄りかからせるステップ、
着用者が支持部材に支えられたままの状態で、着付けを完成するステップ、
着用者を支持部材への寄りかかり状態から解除させるステップ、
高さ調整手段を操作して台板を下死点位置に下げるステツプ、
着用者を台板から降ろさせるステップ、
を含むことを特徴とする着物の着付け方法。
【発明の詳細な説明】
【技術分野】
【０００１】  この発明は、着物の着付けにあたり、着物の着用者と着付け作業者双方の快適性と経済性の向上を促すようにした着物の着付け装置と、それを用いた方法に関する。
【背景技術】
【０００２】  美容院や結婚式場等で行われている着物の着付け（振袖の着付けを例として）の手順の概要を以下に示す。【０００３】（１）脱衣と下着の着用
（イ）服やスカートを脱いで、下半身に裾よけ（腰巻）、上半身に肌襦袢（丈の短い肌着）を付ける。
（ロ）襦袢（着物の下に着用する着丈に合わせた下着）をはおらせる。
以上の工程は、カーテンの仕切内等、人目より隠した場所で行われるが、以降の工程ではその必要がない。【０００４】（２）襦袢の着付け
（イ）襦袢の衣紋（後側の衿の部分）の抜き加減を決める。
（ロ）前側で衿を合わせて、衿の位置を決める。
（ハ）胴部に腰紐を縛って（イ）（ロ）がズレないようする
（ニ）腰紐の外側より伊達締め（薄い帯状の紐で、体形を整えるもの）を縛る。【０００５】（３）着物の着付け
（イ）襦袢１の上に着物２（図では振袖）をはおらせる。（図１）
（ロ）着用者Ａの前側で衿先３を持って後側の裾４の長さを決める。（図２）
（ハ）着物２の上前５（着用者に向かって着物の右側の端）を腰幅に合わせて、上前５側の裾４の長さを決める。（図３）
（ニ）下前６（着用者に向かって着物の左側の端）を同様に腰幅に合わせて、下前６側の裾４の長さを決める。（図４）
（ホ）裾４の長さが変わらないようにしながら、下前６と上前５の前後の合わせ位置を逆にする。（図５）
（ヘ）裾４の長さ（着丈）を確認して、おはしょり７（胴部で折り返した部分）の内側に腰紐８を縛る。これで下半身部の合わせ位置や着丈が決まるので、着用者Ａが動いても裾４の位置は変わらないようになる。（図６）（図７）
（ト）着物２の衣紋９の抜き加減を襦袢１に合わせ、衿１０の位置を決める。（図８）
（チ）おはしょり７の形を整え、この上から腰紐１１で縛って、衣紋９と衿１０が崩れないようにする。（図８）
（リ）腰紐１１の外側より伊達締め１２を縛って体形を整える。（図９）【０００６】（４）帯の着付け
（イ）伊達締め１２の前側に前板（帯１３を巻いた時に帯１３がへこんだりしないようにする薄い板）を付けて帯１３を巻く位置を決める。
（ロ）帯１３の折幅を決めて、帯１３を胴部に巻く。この時、背中側では帯の折り返しの内に後板を入れて巻く。
（ハ）着用者Ａの背中側で帯１３を１結びして、一端（手先）１４を左肩に預け他端（たれ）１５を右下に垂らす。（図１０）
（ニ）帯１３の左肩に預けた一端（手先）１４を真下に下ろして、他端（たれ）１５で羽１６（帯１３の飾り部分）を作る。（図１１）
（ホ）手先１４の先端を持ち上げて、羽１６の下側に輪を１７つくる。（図１２）
（ヘ）羽１６の下で輪１７の外側に、帯揚げ１８で包んだ帯枕１９入れて羽１６の根元を支え、帯揚げ１８を体の前で縛って羽１６が落ちないようにする。（図１２）
（ト）手先１４の輪１７の内に帯締め２０を通して、体の前で縛って、帯１３がずれないようにする。（図１２）
（チ）全体の確認をして着付けを終了する。【０００７】  以上の工程の所要時間を、着付けの熟練者のうち比較的手の早い前者と、一般的な後者を例として測定すると、（１）の脱衣と下着の着用工程で約３分から５分、（２）襦袢の着付け工程で約３分から５分、（３）着物の着付け工程のうち（イ）から（ヘ）の腰紐を縛って着丈を決めるまでの工程で約３分から６分程度の時間がかかる。【０００８】  ここまでの工程で、着付けの基礎的な部分を終了し、以降の工程で着付け技術の真価（外観の美しさや、帯の締め付けも程よい程度で着崩れがしない等）が問われることとなる。
次に、（ト）から（リ）の着物の着付け工程で約１０分から１５分かかるが、この工程では、衣文、衿、おはしょりの位置及び形の整え作業と、次の帯の着付けのための下地形成（帯がきれいに装着できるように、腰にタオル等を巻いて体形を補正する）が行われ、着物の上半身部分の着付けが完成する。【０００９】  次に（４）帯の着付けの工程は、振袖（羽を作る）の場合で約１５分から２０分程度、一般のお太鼓結びで約１０分から１５分程度の時間がかかる。
各工程の経過時間を合計すると、振袖の着付けの場合で約３４分から５１分であり、普段着等に利用するお太鼓結びの場合は２９分から４６分である。
これらの時間は、着物・帯等の着用する材料、着付けの手順、作業環境、作業者の習熟度合い等で変化するものであるが、上記の測定結果は、これらの諸条件を変えて測定した結果であり、さらに着付けの材料（紐・帯・枕等）を手元に持ってくる時間は含まれていない。
【発明の開示】
【発明が解決しようとする課題】
【００１０】  以上に述べた従来の着物の着付けでは、着物の着用者側に於いては、
（１）着付けされる時間の約３０分から５０分程度の間は立ちっぱなしを強いられ、非常に苦痛を伴い、特に年長者は体調不良等を招くこともあった。
（２）紐や帯で縛られる時に、体の前後を引っ張られたり、押されたりするので、この時は足を踏ん張っていなければならず、体力の無い人には辛いところがあった。
（３）（２）を原因として、帯を締められるときに体がフラ付いていると、ほどよい締め付けがされずに、強すぎて胸が苦しいとか、逆に弱すぎて帯がゆるんできた等の問題があった。【００１１】  着物を着付ける作業者側においては、
（１）着用者の背丈によっては（特に帯を締める場合等）、腰をかがめて中腰の無理な姿勢で行わなければならず、腰痛等の原因となっていた。
（２）（１）を防ぐ上で、立ち膝の姿勢で行う手段もあるが、立ったり座ったりを繰り返すので作業が遅くなり、職業としての見地を考慮すると実際には行えなかった。
（３）紐や帯を締めるときに着用者がフラ付き易いので、カンで行われる、ほどよい締め付け力の調整が難しく、結果として帯を締めすぎて苦痛を招いたり、逆に弱すぎてすぐに弛んで帯が落ちたりすることがあった。
（４）裾の長さを決める場合、体の前側で両方の衿先を持ち上げて後側の裾の長さを決め、衿先の上前と下前の胴周りを決めながら衿側の裾長さを決めるが、これは手で衿を持ち上げながら裾長さを確認して、腰紐で縛って裾を決める（着丈を決める）ことになるが、裾と目の間に距離があり、見にくいため１回では決められず、再度、腰紐を緩めて決めなおすこともあった。
（５）上述の原因で、従来の着付けのやりかたでは、着物の着用者並びに着付け作業者の双方に、本来楽しみのために行われる着付けが、苦しみを伴うものとなっており、ひいては着物の普及を阻害する原因となっていた。
（６）また呉服店や呉服の展示会場では、お客様を立たせた状態で着物や帯をコーディネート（体に反物を掛けたり帯をあてたり、擬似的な着付けをしたりする）して販売をおこなうが、お客様は長い時間立ちっぱなしで、あまり長すぎると疲労を原因として販売の機会を逸する恐れがあった。【００１２】  本発明は、このような従来の着物の着付けに於ける問題点を解決しようとするものである。
【課題を解決するための手段】
【００１３】  着物の着付けの各工程を考察すると、前述の従来の着付け手法で示した（３）着物の着付けの（ヘ）の着丈を確認して、おはしょり（胴部で折り返した部分）の内側を腰紐で縛る工程を完了すると、下半身部の上前、下前の合わせ位置や裾の長さが決まり（着丈が決まると）、着用者が多少動いても裾の位置（着物の腰から下）はズレたり動いたりしないようになることがわかった。【００１４】  従って、この着丈を決めた工程より以降の工程では着用者が立ったままの姿勢で、背部の着付けの邪魔にならない箇所を支持部材に寄りかかられるようにすれば、着用者側の問題点が解決できる。また、着用者の背丈に応じて着用者の高さを調整できるようにすれば、着付けの作業者側の問題点が解決できる。【００１５】  この発明の（１）の解決手段は、床面に立設した支柱の頭部に、高さ調整手段を介在して支持部材を連結し、着物の着用者の身長に対応して高さ調整手段を操作して、着用者の背部で帯の装着予定位置の下方の支持適正箇所に支持部材を臨ませ、着用者を支持部材に寄りかからせた状態で着付け作業を行うようにした着物の着付け装置を提供したものである。【００１６】  （２）の解決手段は下側に設けた脚部によって、所定の高さで床面に載置した台板と、台板に立設した支柱と、高さ調整手段を介在して支柱の頭部に連結した支持部材とで構成し、着物の着用者が台板に載った状態で着用者の身長に対応して高さ調整手段を操作し、着用者の背部で帯の装着予定位置の下方の支持適正箇所に支持部材を臨ませ、着用者を支持部材に寄りかからせた状態で着付け作業を行うようにした着物の着付け装置を提供したものである。【００１７】  （３）の解決手段は、上記（２）の支柱は台板上で折りたたみ自在となるように折りたたみ手段を介在して台板上に連結し、折りたたんで運べるようにした着物の着付け装置を提供したものである。【００１８】  （４）の解決手段は、上記の（１）から（３）の解決手段の着物の着付け装置を用いて、着用者の着物の着丈を決めて裾位置が変わらないようにして、
着用者の背部を、支持部材に対向させるステップ、
着用者の身長に対応して高さ調整手段を操作し、支持部材を着用者の帯の装着予定位置の下方で支持適正高さに調整するステップ、
着用者を支持部材に寄りかからせるステップ、
着用者が支持部材に支えられたままの状態で、着付けを完成するステップ、
着用者を支持部材への寄りかかり状態から解除させるステップ、
を含む着物の着付け方法を提供したものである。【００１９】  （５）の解決手段は、第１の高さ調整手段を備えたフレームと、フレームの上方に設けられ、第１の高さ調整手段に連結した台板と、台板の側方に立設され第２の高さ調整手段を備えた支柱と、第２の高さ調整手段を介在して支柱の頭部に連結した支持部材とで構成され、着物の着用者の身長に対応して着付け作業がし易いように、第１の高さ調整手段を操作して台板の高さを調整し、台板に載った着用者の身長に対応して第２の高さ調整手段を操作し、着用者の背部で帯の装着予定位置の下方の支持適正箇所に支持部材を臨ませ、着用者を支持部材に寄りかからせた状態で着付け作業を行うようにした着物の着付け装置を提供したものである。【００２０】  （６）の解決手段は、上記の（５）の解決手段を用いて、着用者の身長に対応して、第１の高さ調整手段を操作して台板の高さを着付けのし易い高さに調整するステップ、
着用者を台板に載せるステップ、
着用者の着物の着丈を決めて裾位置が変わらないようにして、この背部を支持部材に対向させるステップ、
着用者の身長に対応して第２の高さ調整手段を操作し、支持部材を着用者の帯の装着予定位置の下方で支持適正高さに調整するステップ、
着用者を支持部材に寄りかからせるステップ、
着用者が支持部材に支えられたままの状態で、着付けを完成するステップ、
着用者を支持部材への寄りかかり状態から解除させ、第１の高さ調整手段を操作して台板を下死点位置に下げるステツプ、
着用者を台板から降ろさせるステップ、
を含む着物の着付け方法を提供したものである。【００２１】  （７）の解決手段は、高さ調整手段を備えたフレームと、フレームの上方に設けられ、高さ調整手段に連結した台板と、台板の側方でフレームに立設された支柱と、支柱の頭部に連結した支持部材とで構成され、着物の着用者が台板に載った状態で、着用者の身長に対応して高さ調整手段を操作し台板の高さを調整して、着用者の背部で帯の装着予定位置の下方の支持適正箇所に支持部材を臨ませ、着用者を支持部材に寄りかからせた状態で着付け作業を行うようにした着物の着付け装置を提供したものである。【００２２】  （８）の解決手段は、（７）の着物の着付け装置を用いて、高さ調整手段を操作して台板を下死点に位置させるステップ、
着用者を下死点に位置した台板に載せるステップ、
着用者の着物の着丈を決めて裾位置が変わらないようにして、この背部を支持部材に対向させるステップ、
着用者の身長に対応して高さ調整手段を操作し、台板の高さを調整して着用者の帯の装着予定位置の下方の支持適正箇所が支持部材に臨むようにするステップ、
着用者を支持部材に寄りかからせるステップ、
着用者が支持部材に支えられたままの状態で、着付けを完成するステップ、
着用者を支持部材への寄りかかり状態から解除させるステップ、
高さ調整手段を操作して台板を下死点位置に下げるステツプ、
着用者を台板から降ろさせるステップ、
を含む着物の着付け方法を提供したものである。【００２３】  上記の（１）（２）（４）（５）（６）の課題解決手段による作用は次の通りである。すなわち、支持部材は高さ調整手段でその高さを調整できるので、着用者の背丈に対応して高さ調整をおこない、着付け作業の邪魔にならない箇所で、着用者の最も楽な位置で着用者を支持できる。【００２４】  （２）の課題解決手段による作用は次の通りである。すなわち、台板は最初から所定の高さに設定されているので、着用者を床より高い位置にした状態で着付け作業ができる。【００２５】  （３）の解決手段による作用は次の通りである。すなわち、支柱は台板上に折りたたむことができる。【００２６】  （５）（６）の解決手段による作用は次の通りである。すなわち、台板は第１の高さ調整手段で高さを調整できるので、着用者の背丈に対応して着用者の高さ（特に帯の装着予定箇所）を調整すれば、作業者が無理な姿勢をしなくとも着付けが行われる。【００２７】  （７）（８）の解決手段による作用は次の通りである。すなわち、台板は高さ調整手段で高さを調整でき、一方、支持部材は固定されているので、台板の高さ調整操作によって、着用者自体の高さ調整と、支持部材に対する支持位置の調整の２つの作用が一挙に行われる。
【発明の効果】
【００２８】  上述したように本発明の着物の着付け装置と、それを用いた着付け方法は下記の効果を発揮するものである。【００２９】  （１）着物の着付けに要する時間（約３０分から約５０分）のうち、着丈を決めた以降の着付けの工程（約２０分から３５分の所要時間）では、着用者は着付け作業の邪魔にならずに支持部材に体を預けて安楽な状態で寄りかかっていられ、これは着付け時間全体の約７０％を占め、さらには着付け工程の後半で、従来は体が次第に辛くなってくる時においても、時間の経過にあまり関係なく楽な状態でいられる。一方、着付けの作業者も着用者の気分や具合を気遣うことがないので、着付け作業がはかどる。【００３０】  （２）着用者は支持部材で支持適正箇所（臀部から太腿にかけての箇所）を支持部材に寄りかからせる（図１６のように臀部Ｃを寄りかからせるか、もしくは図１７のように臀部Ｃの下側を支持部材２５に乗せた状態で寄りかからせる）ことで、頭が後側に反りぎみとなり背筋が伸びて姿勢が良くなる。この姿勢は、例えば椅子に腰掛けて背筋を伸ばしたような無理に行なわれるものではなく自然に行われるので、非常に楽な状態で背筋が伸びた姿勢が維持され、特に衿１０の後ろ側（衣紋の抜き加減）や前側の衿合わせの形並びに襦袢１との位置合わせがきれいにでき、寄りかかりの解除後（着付けの終了後）においても着丈やこれらの合わせ位置や形が変わることがない。【００３１】  （３）腰紐や伊達締めを縛ったり、また、帯をまわして帯を結ぶ（羽を形成したり）等の着付け工程で、着用者は特に力をいれなくても体がフラついたりせず殆ど動くことが無いので、着付け作業者は紐や帯の締め加減を理想的な強さに調整することが楽に行え、結果として着用者は体が苦しかったり、逆にゆるすぎて着付け状態がくずれたりすることがない。【００３２】  （４）例えば、着用者を椅子に座らせて前述のように着付けを行った場合、着用者の着物は体の前側で縮み、後ろ側（臀部）で伸ばされてたとえ腰紐で強く縛っていたとしても次第にズレてきて裾、衿、衣紋等の合わせや形が狂ってしまう。また、帯の高さが非常に下となり着付け作業に支障をきたし、仮に椅子自体を上昇させるようにしても随分な距離を上げなければならず、着用者に恐怖感をあたえることが考えられる。着用者を支持部材に寄りかからせて着付けを行う場合はこのような欠点は無い。【００３３】  （５）着用者を台板に載せて着付けを行う場合、特に着用者の背丈が着付け作業者より低い場合に、着用者を作業に適した高さに上げて行えるので、無理な姿勢での着付けが解消でき、結果として着付け作業の能率が上がる。また、この際には裾の位置が台板が上がった距離だけ上に（目の近くに）来るので、裾高さの決定（着丈の合わせ）が楽で確実におこなえる。【００３４】  （６）台板の高さを一定に固定した場合は構造が簡単となり、特に支持部材を備える支柱を邪魔にならないように折りたたむことで簡易に運ぶことができ、出張の着付け作業や展示販売会等での利用を促し、不要の時は邪魔にならずに片付けておける。【００３５】  （７）台板に高さ調整手段を備えた場合は、着用者の背丈に対応して台板の高さを微調節できるのでより一層着付け作業者の負担が軽減さ��る。【００３６】  （８）高さ調整手段に、ロック付きのガススプリングを利用した場合は、台板もしくはフレームに立設した支柱の内部に入れて利用できるので、装置の小型化が計られ、高さ調整手段の装着箇所が着付け作業の邪魔にならないようになる。【００３７】  （９）台板と支持部材の双方が第１、第２の高さ調整手段を備えて、台板のみの上昇操作においても着用者の支持部材への高さ調整が行われるようにした場合は、結果として支持部材の第２の高さ調整手段の調整幅は少なくて済み、調整操作が簡単におこなえる。また、例えばこの第２の高さ調整手段にロック付きガススプリングを利用した場合は、調整幅（移動域）の少ない安価なものを利用でき、装置も小型化できる。【００３８】  （１０）支持部材は固定され、台板の上昇で着用者の寄りかかり位置を調整する装置は、支持部材に高さ調整手段を備える必要がないので、構成が簡略化されて安価にて提供できる。【００３９】  （１１）以上の効果が相乗的に作用することで、この発明は着物の利用及び販売を促進させ、着物産業の発展に寄与できる。
【発明を実施するための最良の形態】
【００４０】  以下、本発明の実施の形態を図１３から図３９に基づいて説明する。【００４１】  図１３から図１５は（１）と（４）の解決手段の実施例を示し、この着物の着付け装置は、ボルト２１で床面２２に固定されたベース２３に立設した支柱２４と、この支柱２４の頭部に設けた支持部材２５とで構成している。支柱２４はベース２３に固着した固定支柱２６と、この内部に摺動自在とした可動支柱２７よりなり、可動支柱２７は頭部に水平向きに設けた心材２８に支持部材２５を装着している。支持部材２５は内部をウレタン等の弾性材料２９として皮等のカバー３０で枕形状に形成している。【００４２】  支持部材２５は以下の高さ調整手段３１によってこの高さを調整できる。すなわち、可動支柱２７は固定支柱２６との摺動部に複数の係止穴３２を所定の間隔で形成され、固定支柱２６は係止穴３２と対応する位置にネジ穴３３が穿設され、この下方には、可動支柱２７に突設した回り止ピン３４が係合する長穴３５が設けられている。
以下、上記構成の動作を説明する。【００４３】  支持部材２５を上方へ持ち上げると係止穴３２は次々にネジ穴３３と一致するが、必要とする高さで、ノブ３６を図１５で示したように取り付けることでその高さを固定することができる。この場合ノブ３６のピン３７を係止穴３２に嵌入させながら、ネジ部３８をネジ穴３３に螺合することで固定される。この時、長穴３５内を回り止めピン３４が摺動して支持部材２５の回り止め作用が営まれる。【００４４】  着物の着用者Ａの背丈に応じてノブ３６を外し、支持部材２５の高さを調整してノブ３６で固定して高さ調整を行う。【００４５】  図１６から図１７で示したように、支持部材２５は着用者Ａの体を支持するにあたり、着用者の背部Ｂで帯の装着予定位置４０の下方の支持適正箇所４１を支持することで、着付け作業の邪魔にならずに且つ、着用者も最も楽な状態で支持されるものであるが、帯の装着予定位置４０としては、おはしより７の下端より上方の箇所で、支持適正箇所４１としては、帯１３の装着に邪魔にならない箇所（図ではお太鼓結びを示しているが振袖等の場合には羽飾りの形成に邪魔にならない箇所）で、着用者Ａの臀部Ｃ及びこの下側の太腿Ｄにかかる箇所が望ましい。【００４６】  図１６は臀部Ｃを支持部材２５に寄りかからせた状態を示し、この場合着用者Ａの足Ｅを多少前方に置くようにして体重を支持部材２５に預ける（寄りかかる）ことで楽にしていられる。【００４７】  図１７及び図１８は着用者Ａが支持部材２５に腰掛けたような状態で支持される場合を示し、この場合足Ｅは上記の場合より後方に置かれ特に、年配者等はこの支持適正箇所４１の方が楽である。【００４８】  図１９及び図２０は、高さ調整手段３１の他の実施例を示している。固定支柱２６の頭部に設けられたケース４２はこの内部に回転軸４３が回転自在に設けられ、回転軸４３には先端に支持部材２５を装着したアーム４４が固着されている。アーム４４はケース４２の窓４５内の範囲で移動して支持部材２５の高さを調整できる。【００４９】  ケース４２内には回転軸４３と平行して小ギア４７を備えた回転軸４６が設けられ、この小ギア４７は回転軸４３に設けた大ギア４８と歯合している。回転軸４６はケース４２の側面より回転自在に突出した箇所に角ジョイント４９が設けられ、ハンドル５０の角ジョイント５１を上記の角ジョイント４９に嵌合させてハンドル５０を回転すると支持部材２５は図２０で示したようにその高さを調整でき、調整後においても小ギア４７の回転抵抗力が大きくて大ギア４８を回転させることができず、結果として支持部材２５を調整高さでロックすることになる。【００５０】  支持部材２５の調整の範囲は、例えば着用者Ａの身長の範囲を１５３ｃｍから１７３ｃｍと考えると調整の範囲は２０ｃｍとなるように、支持部材２５は設定した範囲内で移動できるようにする。【００５１】  図２１から図２５は支持部材２５の他の実施例を示している。図２１は支持部材２５を木製の曲げ板で形成した湾曲形状として、図２３で示したように可動支柱２７に取付金具５２及びボルト５３によって装着している。【００５２】この支持部材２５で着用者Ａの臀部Ｃの下側で太腿Ｄにかかる箇所を支持すると最も安定するので当該箇所が支持適正箇所４１となる。図２２は支持部材２５を上記とは逆向きの湾曲形状としたものを示している。この場合の支持適正箇所４１は臀部Ｃのほぼ全体であり、臀部Ｃを包み込むようになるので安定して支持される。【００５３】  図２５は馬蹄形としたパイプで支持部材２５を形成したものを示している。この場合、臀部Ｃは左右より包み込まれるようにして支持されるので着用者Ａは体がブレにくく安定して支持される。図２４は、前述の図１３で示した支持部材２５の心材２８の両端に握り棒５４を突設して、着用者Ａはこの握り棒５４を握ることで、さらに体が安定した状態で着付けされることができる。【００５４】  図２６から図３０は（２）（３）（４）の解決手段の実施例を示し、台板５５は下側に設けたアジャスター５６及びキャスター５７等の脚部５８によって上面５９を床面２２より所定の高さ（１０ｃｍから２０ｃｍ程度の高さ）に設定されている。台板５５の上面５９には固定支柱６０とこれに摺動自在に嵌合した可動支柱６１とで構成した支柱６２が立設されている。固定支柱６０は台板５５に並列して立設され、馬蹄形状の可動支柱６１はそれぞれの基端部が固定支柱６０に摺動自在に嵌合されて図１３と同様に高さ調整手段３１で上部に装着した支持部材２５の高さを調整できるようにしている。【００５５】  樹脂やゴム等で形成した支持部材２５は、中心の穴６３に可動支柱６１の水平部６４が挿通して取り付けられている。【００５６】  固定支柱６０はその基端部６５を、台板５５に固着された平面より視てコ型の支持金具６６に倒伏自在に連結されている。すなわち支持金具６６は台板５５の中心方向の立ち上がり部６８に凹部６９が形成され、左右の立ち上がり部６８ａには穴７０及び長穴７１が形成されている。固定支柱６０は基端部６５に穿った穴７２と支持金具６６の穴７０にボルト７３を貫通してナット７４で取り付けられている。【００５７】左右の支持金具６６はそれぞれの長穴７１にバー７５が長穴内を移動自在に貫通して設けられ、このバー７５はボルト７３の突出端と接続したバネ７６で長穴７１の上部方向に引っ張られており、図２８で示したように固定支柱６０を支持金具６６の立ち上がり部６８側に押し付けるので、固定支柱６０は着用者Ａが支持部材２５に寄りかかっても倒れることはなく、また前方に倒伏することもない。【００５８】  以下、上記構成の動作を説明する。【００５９】  支持部材２５は前述と同様の高さ調整手段３１によって、その高さを調整することができる。支柱６２は、バー７５を足で踏んで固定支柱６０の下端より下側に移動させると図２７で示したように倒伏することができ、また、この逆作用で復帰することができる。図３０はこの着付け装置を移動する場合、支持部材２５を持って台板５５の前方を持ち上げるとキャスター５７で移動することができる。【００６０】  図３１から図３７と図３９は（５）（６）の解決手段の実施例を示している。
３９はリング形状としたパイプ７７の上下面にプレート７８、７９を固着して構成したフレームを示している。【００６１】  このフレーム３９の上方には、円形の台板８２が設けられている。フレーム３９の下面のプレート７９には図３３で示したようにガイドシャフト８３、８３が台板８２のガイド穴８４、８４を摺動自在に貫通して並んで立設されている。ガイドシャフト８３、８３の上端には基板８５が固着されて平行精度を保持している。８６、８６はガイドシャフト８３、８３のガイドポストを示し、それぞれ台板８２に固着されて台板８２の上下方向の移動を安定して案内している。【００６２】  台板８２は油圧ロック付きガススプリング８７を用いた第１の高さ調整手段８８でフレーム３９と連結されている。このガススプリング８７は、基板８５のガイド穴８９を摺動自在として台板８２に立設された可動支柱９０の内部に装着されている。【００６３】ガススプリング８７のロッド９１は台板８２の穴１２８を貫通した先端をプレート７８にナット９３で固定されて結果としてフレーム３９に連結している。このロッド９１は先端の可動ピン９４をリンク９５に係合させている。台板８２には、可動支柱９０と摺動自在に嵌合した固定支柱９６とで構成した支柱９７が立設され、固定支柱９６は下端を基盤８５に固着し、上端部の内部にはスペーサー９８を介在して油圧ロック付きガススプリング９９が装着されている。【００６４】固定支柱９６はこのガススプリング９９を用いた第２の高さ調整手段１１３で支持部材２５と連結されている。ガススプリング９９のロッド１００はナット１０１で支持部材２５の内部に固着している固定板１０２に装着され、可動ピン１０３がリンク１０４に係合されている。支持部材２５は内部空洞のパイプ形状としているが、前述した多様なものが同様に利用できる。【００６５】油圧ロック付きガススプリング８７、９９は可動ピン９４、１０３を操作することでロッド９１、１００の移動とロックが行われるが、これは上下可動製図台や椅子等に利用されている公知のものである。油圧ロック機構の無い場合は、所定のストロークの範囲の始端と終端でロックされるが、微調整を必要としない場合は利用できる。【００６６】リンク９５は、プレート７９に立設された支持台１０５に横架した軸１０６で回転中心を支承され、可動ピン９４に係合した作用部１０７がこれに装着した押圧バネ１０９で下方向に押され、他方の操作部１１０を上方に位置させている。【００６７】リンク１０４は、固定板１０２に立設された支持台１１１に横架した軸１１２で回転中心を支承され、可動ピン１０３に係合した作用部１２７はこれに装着した押圧バネ１１４で下方向に押圧され、他方の操作部１１５を上方に位置させている。
以下、この構成の動作を説明する。【００６８】  図３４ではガススプリング８７、９９のロッド９１、１００が最小の長さで台板８２と支持部材２５が下死点に位置し、図３５ではロッド９１、１００が最大の長さで台板８２と支持部材２５は上死点に位置している。【００６９】図３４で着付けの作業者がリンク９５の操作部１１０を足で踏んで可動ピン９４を押し上げると、ガススプリング８７のロックが解除され台板８２は上昇するが操作部１１０の操作を止めた位置で自在に停止してロックされる。着用者Ａの身長に対応して操作部１１０を小刻みに操作すると台板８２の高さを段階的に微調整できる。【００７０】このガススプリング８７の力（ガス反力）は台板８２を持ち上げるのに必要な力（台板８２の重量より重い１０ｇ程度）に設定され、台板８２に人間（２０ｋｇ以上）が載った状態でロックを解除すると台板８２が下死点まで降下するように設定している。【００７１】他方のリンク１０４の操作部１１５を着付け作業者が手で下げるとロックが解除されて支持部材２５は上昇するが操作部１１５の操作を止めた位置で自在に停止してロックされる。台板８２に載った着用者の身長の高さに対応して操作部１１５を小刻みに操作すると支持部材２５の高さを段階的に微調整できる。【００７２】ガススプリング９９の力（ガス反力）は支持部材２５を持ち上げるのに必要な力（支持部材２５の重量より多少重い程度）に設定され、また着付け作業者がロックを解除して支持部材２５の重量以上の力で押し下げることができるように設定されている。【００７３】着用者の身長が着付け作業者の身長より低い場合（差が５ｃｍ程度以上）の場合、作業者は腰をかがめる度合いが大きい作業となるが、例えば着用者が１６０ｃｍで作業者が１７０ｃｍの場合は、台板８２をあらかじめ１０ｃｍ上げておいて、これに着用者を載せて行うが、次に支持部材２５の高さを着用者のＡの支持適正箇所４１に調整して、着用者をこれに寄りかからせて着付け作業を行う。【００７４】  着付けの終了後はロックを解除すると着用者の自重で台板８２が下死点に下降する。
図３４において着用者の標準身長（例えば１６０ｃｍとすると）に合わせて台板８２の上面から支持部材２５までの距離を設定すると、身長１５０ｃｍの着用者を１０ｃｍ上げた台板８２に載せると支持部材２５の高さ調整は必要ないか、もしくは体形差による微調整で可能となる。【００７５】  図３９は第１の高さ調整手段８８に、美容椅子の昇降機構に利用される公知の油圧ポンプ１１６を用いた場合を示している。フレーム３９に設けた油圧ポンプ１１６のピストン１１７は取り付け金具１１８で台板８２と連結され、操作部１１９のペダル１２０を繰り返し踏むと台板８２は上昇して操作を止めた位置でロックされる。【００７６】  １２１はロック解除レバーを示し、これを操作するとことでロックが解除されて台板８２は降下する。この第１の高さ調整手段８８は、下死点に位置した台板８２に着用者を載せて、操作部１１９を操作して着用者を所望の高さまで上げ、ついで前記と同様の第２の高さ調整手段１１３で支持部材２５の高さ調整をおこない、着付けの終了後にロック解除レバー１２１を操作して台板８２を着用者の自重で下死点まで降下せさる。【００７７】  図３８は（７）（８）の解決手段の実施例を示している。【００７８】  フレーム３９は油圧ジャッキ１２２を利用した高さ調整手段１２３で台板８２と連結し、片側には、頭部に支持部材２５を装着した支柱１２４が立設されている。支持部材２５の台板８２よりの高さは着用者の最大身長（１８０ｃｍ程度）に設定している。【００７９】  台板８２に着用者を載せて操作部１２５にシヤフト（図示せず）を差し込んでジャッキアップをして台板８２及び着用者を上昇させ、着用者の支持適性箇所が支持部材２５に一致した位置で操作を終了して着付け作業を行い、終了後はロック解除レバー１２６を操作して台板８２を着用者の自重で下死点まで降下する。
【図面の簡単な説明】
【００８０】
【図１】着物の着付けの手順を示す説明図
【図２】同上説明図
【図３】同上説明図
【図４】同上説明図
【図５】同上説明図
【図６】同上説明図
【図７】同上説明図
【図８】同上説明図
【図９】同上説明図
【図１０】同上説明図
【図１１】同上説明図
【図１２】同上説明図
【図１３】この発明の実施の態様を示す着付け装置の斜視図
【図１４】図１３の縦断面図
【図１５】図１４の要部断面図
【図１６】着付け装置の利用状態を示す側面図
【図１７】着付け装置の利用状態を示す側面図
【図１８】着付け装置の利用状態を示す背面図
【図１９】支持部材の斜視図
【図２０】図１９の縦断面図
【図２１】支持部材の利用状態を示す側面図
【図２２】支持部材の利用状態を示す側面図
【図２３】支持部材の背面図
【図２４】支持部材の利用状態を示す斜視図
【図２５】支持部材の利用状態を示す背面図
【図２６】着付け装置の平面図
【図２７】図２６の側面図
【図２８】図２７の要部縦断面図
【図２９】図２８のイ−イ線に沿う断面図
【図３０】図２７の利用状態を示す側面図
【図３１】着付け装置の側面図
【図３２】着付け装置の平面図
【図３３】着付け装置の背面図
【図３４】着付け装置の縦断面図
【図３５】着付け装置の縦断面図
【図３６】図３１のロ−ロ線に沿う平断面図
【図３７】図３１のハ−ハ線に沿う平断面図
【図３８】着付け装置の側面図
【図３９】着付け装置の側面図
【符号の説明】
【００８１】    Ａ    着用者
２    着物
４    裾
１３    帯
２２    床面
２４    支柱
２５    支持部材
３１    高さ調整手段
３９    フレーム
４０    帯の装着予定位置
４２    支持適性箇所
５５    台板
６２    支柱
８８    第１の高さ調整手段
１１３    第２の高さ調整手段
９７    支柱
１２３    高さ調整手段
１２４    支柱
【図１】
2008006245.tif 000003
【図２】
2008006245.tif 000004
【図３】
2008006245.tif 000005
【図４】
2008006245.tif 000006
【図５】
2008006245.tif 000007
【図６】
2008006245.tif 000008
【図７】
2008006245.tif 000009
【図８】
2008006245.tif 000010
【図９】
2008006245.tif 000011
【図１０】
2008006245.tif 000012
【図１１】
2008006245.tif 000013
【図１２】
2008006245.tif 000014
【図１３】
2008006245.tif 000015
【図１４】
2008006245.tif 000016
【図１５】
2008006245.tif 000017
【図１６】
2008006245.tif 000018
【図１７】
2008006245.tif 000019
【図１８】
2008006245.tif 000020
【図１９】
2008006245.tif 000021
【図２０】
2008006245.tif 000022
【図２１】
2008006245.tif 000023
【図２２】
2008006245.tif 000024
【図２３】
2008006245.tif 000025
【図２４】
2008006245.tif 000026
【図２５】
2008006245.tif 000027
【図２６】
2008006245.tif 000028
【図２７】
2008006245.tif 000029
【図２８】
2008006245.tif 000030
【図２９】
2008006245.tif 000031
【図３０】
2008006245.tif 000032
【図３１】
2008006245.tif 000033
【図３２】
2008006245.tif 000034
【図３３】
2008006245.tif 000035
【図３４】
2008006245.tif 000036
【図３５】
2008006245.tif 000037
【図３６】
2008006245.tif 000038
【図３７】
2008006245.tif 000039
【図３８】
2008006245.tif 000040
【図３９】
2008006245.tif 000041